【手続補正書】
【提出日】平成18年11月6日(2006.11.6)
【手続補正１】
【補正対象書類名】特許請求の範囲
【補正対象項目名】請求項１
【補正方法】変更
【補正の内容】
【請求項１】
走行機体に装着される装着部と、該装着部から左右方向に移動可能なオフセット機構部と、該オフセット機構部の移動端側に回動支点を設けて該回動支点を回動中心として水平方向に回動可能に配設されて前記走行機体の前進動、後進動及び該走行機体から伝達される動力によってオフセット作業を行なう作業部と、前記オフセット機構部及び前記作業部間に連結されて前記オフセット機構部の移動に対して前記作業部の作業方向を所定方向に保持し、回動アクチュエータの動作によって前記作業部を前記回動支点に対して回動させる連結機構とを備え、
前記オフセット機構部に設けられ、前記連結機構によって前記作業部の作業方向が所定方向に保持された状態で、前記オフセット機構部が移動して所定移動領域を超えると、前記作業部側に設けられた係止部材と係合して前記作業部の回動を規制し、前記オフセット機構部が前記所定移動領域を超えた位置から該所定移動領域内に移動すると、前記係止部材との係合を解除して前記作業部の回動を許容するロック機構
を有することを特徴とするオフセット作業機。
【手続補正２】
【補正対象書類名】特許請求の範囲
【補正対象項目名】請求項２
【補正方法】変更
【補正の内容】
【請求項２】
前記オフセット機構部は、一端側が前記装着部に回動自在に連結されて移動端側が前記回動支点の回動中心軸と同軸に回動自在に連結されたオフセットフレームと、該オフセットフレームに沿って並設されて一端側が前記装着部に回動自在に連結されて移動端側が前記連結機構に繋がる連結アーム部材に連結されたリンク部材とを有して平行リンク機構をなすことを特徴とする請求項１に記載のオフセット作業機。
【手続補正３】
【補正対象書類名】特許請求の範囲
【補正対象項目名】請求項３
【補正方法】変更
【補正の内容】
【請求項３】
前記ロック機構は、前記リンク部材に設けられたカム部と、前記連結アーム部材に回動自在に設けられ、端部に前記係止部材に係合可能な係合凹部を有し、前記オフセット機構部の移動に応じて前記カム部に接触しながら回動して、前記オフセット機構部の位置が前記所定移動領域を超えると前記係合凹部が前記係止部材に係合し、前記オフセット機構部が前記所定移動領域を超えた位置から該所定移動領域内に移動すると、前記係合凹部の前記係止部材への係合を解除するロックプレートとを有してなることを特徴とする請求項２に記載のオフセット作業機。
【手続補正４】
【補正対象書類名】特許請求の範囲
【補正対象項目名】請求項５
【補正方法】変更
【補正の内容】
【請求項５】
前記係止部材は、前記作業部側に設けられた前進側係止部材及び後進側係止部材を有し、
前記ロックプレートの前記係合凹部は、前記回動アクチュエータの動作及び前記オフセット機構部の移動によって前記作業部が前記走行機体の前進動により作業が可能な前進作業位置に設置された状態で前記前進側係止部材と係合可能な前進側係合凹部と、前記回動アクチュエータの動作及び前記オフセット機構部の移動によって前記作業部が前記走行機体の後進動により作業が可能な後進作業位置に設置された状態で前記後進側係止部材と係合可能な後進側係合凹部とを有することを特徴とする請求項４に記載のオフセット作業機。
【手続補正５】
【補正対象書類名】明細書
【補正対象項目名】００１０
【補正方法】変更
【補正の内容】
【００１０】
請求項１の発明は、走行機体に装着される装着部と、該装着部から左右方向に移動可能なオフセット機構部と、該オフセット機構部の移動端側に回動支点を設けて該回動支点を回動中心として水平方向に回動可能に配設されて走行機体の前進動、後進動及び該走行機体から伝達される動力によってオフセット作業を行なう作業部と、オフセット機構部及び作業部間に連結されてオフセット機構部の移動に対して作業部の作業方向を所定方向に保持し、回動アクチュエータ（例えば、実施形態における伸縮シリンダ４１）の動作によって作業部を回動支点に対して回動させる連結機構とを備え、オフセット機構部に設けられ、連結機構によって作業部の作業方向が所定方向に保持された状態で、オフセット機構部が移動して所定移動領域を超えると、作業部側に設けられた係止部材（例えば、実施形態における前進側係止部材７１、後進側係止部材７２）と係合して作業部の回動を規制し、オフセット機構部が所定移動領域を超えた位置から該所定移動領域内に移動すると、係止部材との係合を解除して作業部の回動を許容するロック機構を有することを特徴とする。
【手続補正６】
【補正対象書類名】明細書
【補正対象項目名】００１１
【補正方法】変更
【補正の内容】
【００１１】
請求項２の発明は、請求項１に記載のオフセット作業機の発明において、オフセット機構部は、一端側が装着部に回動自在に連結されて移動端側が回動支点の回動中心軸と同軸に回動自在に連結されたオフセットフレームと、該オフセットフレームに沿って並設されて一端側が装着部に回動自在に連結されて移動端側が連結機構に繋がる連結アーム部材に連結されたリンク部材とを有して平行リンク機構をなすことを特徴とする。
【手続補正７】
【補正対象書類名】明細書
【補正対象項目名】００１２
【補正方法】変更
【補正の内容】
【００１２】
請求項３の発明は、請求項２に記載のオフセット作業機の発明において、ロック機構は、リンク部材に設けられたカム部と、連結アーム部材に回動自在に設けられ、端部に係止部材に係合可能な係合凹部（例えば、実施形態における前進側係合凹部７６、後進側係合凹部７７）を有し、オフセット機構部の移動に応じてカム部に接触しながら回動して、オフセット機構部の位置が所定移動領域を超えると係合凹部が係止部材に係合し、オフセット機構部が所定移動領域を超えた位置から該所定移動領域内に移動すると、係合凹部の係止部材への係合を解除するロックプレートとを有してなることを特徴とする。
【手続補正８】
【補正対象書類名】明細書
【補正対象項目名】００１４
【補正方法】変更
【補正の内容】
【００１４】
請求項５の発明は、請求項４に記載のオフセット作業機の発明において、係止部材は、作業部側に設けられた前進側係止部材及び後進側係止部材を有し、ロックプレートの係合凹部は、回動アクチュエータの動作及びオフセット機構部の移動によって作業部が走行機体の前進動により作業が可能な前進作業位置に設置された状態で前進側係止部材と係合可能な前進側係合凹部と、回動アクチュエータの動作及びオフセット機構部の移動によって作業部が走行機体の後進動により作業が可能な後進作業位置に設置された状態で後進側係止部材と係合可能な後進側係合凹部とを有することを特徴とする。
【手続補正９】
【補正対象書類名】明細書
【補正対象項目名】００１８
【補正方法】変更
【補正の内容】
【００１８】
請求項１記載のオフセット作業機によれば、連結機構によって作業部の作業方向が所定方向に保持された状態で、オフセット機構部が移動して所定移動領域を超えると、作業部側に設けられた係止部材と係合して作業部の回動を規制し、オフセット機構部が所定移動領域を超えた位置から該所定移動領域内に移動すると、係止部材との係合を解除して作業部の回動を許容するロック機構を有することで、オフセット機構部の移動に連動してロック機構が作動して、作業部の回動を規制したり、規制された作業部の回動を許容したりすることができる。このため、作業者によって作業部の回動をロック状態にしたり非ロック状態にしたりするためのロック作業が不要となり、ロック作業の煩わしさを解消することができる。またオフセット機構部が所定移動領域を超えて移動すると作業部の回動がロック状態となり、オフセット機構部が所定移動領域を超えた位置から所定移動領域内に移動すると作業部は非ロック状態になるので、オフセット機構部が所定移動領域を超えた位置に移動すると作業部によってオフセット作業ができるように所定移動領域を設定すると、オフセット機構部が所定移動領域を超えると作業部の回動はロックされるので、作業部によるオフセット作業時には作業部は必ずロック状態になる。このため、オフセット作業時における作業部のロック状態を確実にすることができ、その結果、作業部によるオフセット作業を安心して行なうことができる。
【手続補正１０】
【補正対象書類名】明細書
【補正対象項目名】００１９
【補正方法】変更
【補正の内容】
【００１９】
請求項２記載のオフセット作業機によれば、オフセット機構部は、オフセットフレームとリンク部材とを有して平行リンク機構をなすことで、作業部を連結アーム部材に一体化した状態にすると、オフセット機構部の左右揺動によって作業部はその作業方向が所定方向に保持された状態でオフセット移動する。このため、作業部によりオフセット作業が行なわれる場合に、作業部の作業位置調整をオフセット機構部の左右揺動だけで容易に行なうことができる。
【手続補正１１】
【補正対象書類名】明細書
【補正対象項目名】００２０
【補正方法】変更
【補正の内容】
【００２０】
請求項３記載のオフセット作業機によれば、ロック機構は、リンク部材に設けられたカム部と、連結アーム部材に回動自在に設けられたロックプレートとを有してなることで、オフセット機構部が移動すると、ロックプレートがカム部に接触しながら回動し、オフセット機構部の位置が所定移動領域を超えると、ロックプレートに設けられた係合凹部が係止部材に係合して作業部の回動が規制され、オフセット機構部が所定移動領域を超えた位置から該所定移動領域内に移動すると、係合凹部の係止部材への係合が解除されて作業部の回動が許容される。このため、オフセット機構部の移動のみで作業部の回動をロック状態にしたり非ロック状態にしたりすることが可能なロック機構を提供することができる。
【手続補正１２】
【補正対象書類名】明細書
【補正対象項目名】００２１
【補正方法】変更
【補正の内容】
【００２１】
請求項４記載のオフセット作業機によれば、回動アクチュエータの動作によって、作業部の作業方向を走行機体の左右両側の一方側の前進方向から他方側の後進方向に反転可能にすることで、オフセット機構部の移動と相まって走行機体を後進動させながら作業部による直進作業が可能な後進作業位置に作業部を移動させることができる。また回動アクチュエータの動作によって作業部の作業方向を前進方向と後進方向に反転可能であるので、作業部を前進作業位置から後進作業位置に設置する設置作業の作業性を向上させることができる。
【手続補正１３】
【補正対象書類名】明細書
【補正対象項目名】００２２
【補正方法】変更
【補正の内容】
【００２２】
請求項５記載のオフセット作業機によれば、係止部材は、作業部側に設けられた前進側係止部材及び後進側係止部材を有し、ロックプレートの係合凹部は、前進側係止部材と係合可能な前進側係合凹部及び後進側係止部材と係合可能な後進側係合凹部を有することで、回動アクチュエータの動作及びオフセット機構部の移動によって作業部が走行機体の前進動により作業が可能な前進作業位置に設置されると、前進側係合凹部が前進側係止部材に係合して作業部の回動がロック状態にされる。また回動アクチュエータの動作及びオフセット機構部の移動によって作業部が走行機体の後進動により作業が可能な後進作業位置に設置されると、後進側係合凹部が後進側係止部材に係合して作業部の回動がロック状態にされる。つまり、作業部が前進作業位置及び後進作業位置に設置されると、作業部の回動はロック状態になる。このため、前進作業位置及び後進作業位置に設置された作業部の回動を確実にロック状態にすることができる。
【手続補正１４】
【補正対象書類名】明細書
【補正対象項目名】００２３
【補正方法】変更
【補正の内容】
【００２３】
請求項６記載のオフセット作業機によれば、ロックプレートは、カム部の案内面に接触しながら回転動可能な回転ローラを有することで、オフセット機構部の移動に応じてカム部の案内面に接触しながら回動するロックプレートの回動作をスムースにすることができる。このため、係合凹部が係止部材に係合したり係合凹部の係合が解除されたりする動作を滑らかにすることができる。
【手続補正１５】
【補正対象書類名】明細書
【補正対象項目名】００２６
【補正方法】変更
【補正の内容】
【００２６】
本発明に係わるオフセット作業機によれば、連結機構によって作業部の作業方向が所定方向に保持された状態で、オフセット機構部が移動して所定移動領域を超えると、作業部側に設けられた係止部材と係合して作業部の回動を規制し、オフセット機構部が所定移動領域を超えた位置から該所定移動領域内に移動すると、係止部材との係合を解除して作業部の回動を許容するロック機構を有することで、作業者によって作業部の回動をロック状態にしたり非ロック状態にしたりするためのロック作業が不要となり、ロック作業の煩わしさを解消することができる。また、オフセット機構部が所定移動領域を超えた位置に移動すると作業部によってオフセット作業ができるように所定移動領域を設定すると、オフセット機構部が所定移動領域を超えると作業部の回動はロックされるので、作業部によるオフセット作業時には作業部は必ずロック状態になる。このため、オフセット作業時における作業部のロック状態を確実にすることができ、その結果、作業部によるオフセット作業を安心して行なうことができる。
【手続補正１６】
【補正対象書類名】明細書
【補正対象項目名】００２７
【補正方法】変更
【補正の内容】
【００２７】
また、オフセット機構部は、オフセットフレームとリンク部材とを有して平行リンク機構をなすことで、作業部を連結アーム部材に一体化した状態にすると、オフセット機構部の左右揺動によって作業部はその作業方向が所定方向に保持された状態でオフセット移動するので、作業部の作業位置調整をオフセット機構部の左右揺動だけで容易に行なうことができる。
【手続補正１７】
【補正対象書類名】明細書
【補正対象項目名】００２８
【補正方法】変更
【補正の内容】
【００２８】
また、ロック機構は、リンク部材に設けられたカム部と連結アーム部材に回動自在に設けられロックプレートとを有してなることで、オフセット機構部の移動のみで作業部の回動をロック状態にしたり非ロック状態にしたりすることが可能なロック機構を提供することができる。
【手続補正１８】
【補正対象書類名】明細書
【補正対象項目名】００２９
【補正方法】変更
【補正の内容】
【００２９】
さらに、回動アクチュエータの動作によって、作業部の作業方向を走行機体の左右両側の一方側の前進方向から他方側の後進方向に反転可能にすることで、オフセット機構部の移動と相まって走行機体を後進動させながら作業部による直進作業が可能な後進作業位置に作業部を移動させることができ、後進作業位置に作業部を設置する設置作業の作業性を向上させることができる。
【手続補正１９】
【補正対象書類名】明細書
【補正対象項目名】００３１
【補正方法】変更
【補正の内容】
【００３１】
また、ロックプレートは、カム部の案内面に接触しながら回転動可能な回転ローラを有することで、オフセット機構部の移動に応じてカム部の案内面に接触しながら回動するロックプレートの回動作をスムースにすることができ、その結果、係合凹部が係止部材に係合したり係合凹部の係合が解除されたりする動作を滑らかにすることができる。
【手続補正２０】
【補正対象書類名】明細書
【補正対象項目名】００３４
【補正方法】変更
【補正の内容】
【００３４】
[第１の実施の形態]
先ず、畦塗り機について説明する。なお、説明の都合上、図１（斜視図）及び図２（平面図）に示す矢印の方向を前後方向及び左右方向として以下説明する。畦塗り機１は、図１及び図２に示すように、走行機体９０の後部に設けられた三点リンク連結機構(図示せず)に連結されて、走行機体９０の前進動及び後進動に応じて畦塗り作業を行なうものである。畦塗り機１は、走行機体９０に装着されて走行機体９０からの動力が入力される入力軸(図示せず)を備えた装着部１０と、装着部１０に設けられた旋回シリンダ３によって装着部１０から左右方向に揺動可能なオフセット機構部２０と、オフセット機構部２０の移動端側（後端側）に配設されて入力軸から伝達される動力によってオフセット作業を行なう作業部５０とを有してなる。
【手続補正２１】
【補正対象書類名】明細書
【補正対象項目名】００３６
【補正方法】変更
【補正の内容】
【００３６】
オフセット機構部２０は、前端側をヒッチフレーム１１に回動自在に連結されて後方側へ延びるオフセットフレーム２１と、オフセットフレーム２１の左側に沿って並設されて前端側がヒッチフレーム１１の左側端部に回動自在に連結されたリンク部材２５とを有してなる。リンク部材２５の後端側は、オフセットフレーム２１の後端部に回動自在に設けられた連結部２３に繋がる連結アーム部材２３ａに回動自在に取り付けられている。オフセット機構部２０は、オフセットフレーム２１、リンク部材２５、ヒッチフレーム１１及び連結アーム部材２３ａによって平行リンク機構を形成している。
【手続補正２２】
【補正対象書類名】明細書
【補正対象項目名】００４１
【補正方法】変更
【補正の内容】
【００４１】
このように構成された連結機構４０は、オフセット機構部２０の左右揺動に対して、フレーム部５１の延出方向を左右方向に平行に保持する。つまり、連結機構４０は、フレーム部５１が左右方向に平行に延びた状態で伸縮シリンダ４１の伸縮動作を規制すると、フレーム部５１を連結部２３と一体化させる。その結果、この状態でオフセット機構部２０が左右に揺動すると、平行リンク機構を構成するオフセット機構部２０により回動リンク機構４２を介して連結部２３に繋がるフレーム部５１が左右方向に平行状態に維持されたままで移動する。なお、伸縮シリンダ４１の取り付け位置については後述する。
【手続補正２３】
【補正対象書類名】明細書
【補正対象項目名】００４８
【補正方法】変更
【補正の内容】
【００４８】
オフセット機構部２０の移動端側（後部側）には、図３（側面図）及び図４（ａ）（平面図）に示すように、連結機構４０によって作業部５０の作業方向が図２に示す走行機体９０の進行方向Ａと平行になる方向に保持された状態で、オフセット機構部２０が揺動して後述する所定移動領域を超えると、作業部５０側に設けられた前進側係止部材７１又は後進側係止部材７２と係合して作業部５０の回動を規制し、オフセット機構部２０が所定移動領域を超えた位置から該所定移動領域内に移動すると、前進側係止部材７１又は後進側係止部材７２との係合を解除して作業部５０の回動を許容するロック機構７０が設けられている。
【手続補正２４】
【補正対象書類名】明細書
【補正対象項目名】００４９
【補正方法】変更
【補正の内容】
【００４９】
ロック機構７０は、リンク部材２５に取り付けられたカム部７３と、連結アーム部材２３ａに回動自在に設けられ、端部に前進側係止部材７１及び後進側係止部材７２に係合可能な前進側係合凹部７６及び後進側係合凹部７７を有してなるロックプレート７５とを備える。詳細については後述するが、ロックプレート７５は、オフセット機構部２０の揺動に応じてカム部７３に接触しながら回動し、オフセット機構部２０の位置が所定移動領域を超えると前進側係合凹部７６又は後進側係合凹部７７が前進側係止部材７１又は後進側係止部材７２に係合し、オフセット機構部２０が所定移動領域を超えた位置から該所定移動領域内に移動すると、前進側係合凹部７６又は後進側係合凹部７７の前進側係止部材７１又は後進側係止部材７２への係合を解除する。
【手続補正２５】
【補正対象書類名】明細書
【補正対象項目名】００５２
【補正方法】変更
【補正の内容】
【００５２】
ロックプレート７５のプレート本体部７８に前述した前進側係合凹部７６及び後進側係合凹部７７が設けられている。前進側係合凹部７６はプレート本体部７８の右側前端部に形成され、後進側係合凹部７７はプレート本体部７８の左側後端部に形成されている。詳細については後述するが、前進側係合凹部７６は、図４（ａ）に示す伸縮シリンダ４１の伸縮動及びオフセット機構部２０の揺動によって作業部５０が走行機体の前進動により作業が可能な前進作業位置に設置された状態で前進側係止部材７１と係合する。一方、後進側係合凹部７７は、図４（ａ）に示す伸縮シリンダ４１の伸縮動及びオフセット機構部２０の揺動によって作業部５０が走行機体の後進動により作業が可能な後進作業位置に設置された状態で後進側係止部材７２と係合する。回動支持部７９の左側端部にはローラ軸８１が突設され、ローラ軸８１の上端部に前述した図４（ａ）に示すカム部７３の各案内面に接触して回転する回転ローラ８２が設けられている。
【手続補正２６】
【補正対象書類名】明細書
【補正対象項目名】００５４
【補正方法】変更
【補正の内容】
【００５４】
次に、ロック機構７０の動作とオフセット機構部２０の揺動との関係について説明する。再び図４（ａ）に示すように、フレーム部５１が左右方向右側に平行に延びるように伸縮シリンダ４１が所定の伸長量を有して伸縮動が規制された状態で、オフセット機構部２０が作業方向軸Ｏ２に対して左側に揺動角度θ１で揺動すると、回転ローラ８２はカム部７３の第１案内面７３ａに沿って前側に接触しながら回転動して第２案内面７３ｂの後端部に移動する。このとき、前進側係合凹部７６は前進側係止部材７１に係合した状態にある。つまり、回転ローラ８２が第１案内面７３ａに沿って移動しているときは、前進側係合凹部７６は前進側係止部材７１に係合した状態、即ち、作業部５０はその回動が規制されたロック状態にある。
【手続補正２７】
【補正対象書類名】明細書
【補正対象項目名】００５５
【補正方法】変更
【補正の内容】
【００５５】
そして、図４（ｂ）（平面図）に示すように、オフセット機構部２０が揺動角度θ１を超えて作業方向軸Ｏ２に対してさらに左側へ揺動角度θ２を有して揺動すると、回転ローラ８２はカム部７３の第２案内面７３ｂに沿って前側に接触しながら回転動して第２案内面７３ｂの前端部に移動する。このとき、回転ローラ８２はオフセット機構部２０の揺動にともなって移動する第２案内面７３ｂによって前側方向に付勢されて、ロックプレート７５はその回動支点Ｑを回動中心として矢印Ａ方向に回動する。このため、前進側係合凹部７６は前進側係止部材７１から離反した方向に移動して、前進側係合凹部７６の前進側係止部材７１に対する係合状態が解除される。そして、図４（ｃ）（平面図）に示すように、オフセット機構部２０が作業方向軸Ｏ２に対してさらに左側に揺動角度θ３を有して揺動すると、回転ローラ８２はカム部７３の第３案内面７３ｃに沿って左側に接触しながら回転動して第３案内面７３ｃの左側端部に移動する。このとき、回転ローラ８２はオフセット機構部２０の揺動にともなって移動する第３案内面７３ｃによって前側方向に付勢されて、ロックプレート７５はさらに矢印Ａ方向に回動して、前進側係合凹部７６は前進側係止部材７１からさらに離反した方向に移動する。その結果、作業部５０はその回動規制が完全に解除された状態になる。
【手続補正２８】
【補正対象書類名】明細書
【補正対象項目名】００５７
【補正方法】変更
【補正の内容】
【００５７】
そして、図６（平面図）に示すように、オフセット機構部２０が矢印Ｂ方向に作業方向軸Ｏ２に対してさらに左側に揺動角度θ４を有して揺動すると、回転ローラ８２はカム部７３の第４案内面７３ｄに沿って左側に接触しながら回転動して第４案内面７３ｄの中間部に移動する。このとき、回転ローラ８２はオフセット機構部２０の揺動にともなって第４案内面７３ｄの左側に接触しながら回転動して、ロックプレート７５は矢印Ｃ方向に回動して、後進側係合凹部７７と後進側係止部材７２とが係止状態になり、その結果、作業部５０はその回動が規制されたロック状態になる。
【手続補正２９】
【補正対象書類名】明細書
【補正対象項目名】００５８
【補正方法】変更
【補正の内容】
【００５８】
そして、オフセット機構部２０が揺動角度θ４を超えてさらに矢印Ｂ方向に揺動すると、回転ローラ８２はカム部７３の第４案内面７３ｄに沿って接触しながら左側に回転動して第４案内面７３ｄの左側端部に移動し、ロックプレート７５はさらに矢印Ｃ方向に回動して、後進側係合凹部７７は後進側係止部材７２と係止された状態に維持される。このとき、作業部５０は、図９（ａ）（平面図）に示すように、走行機体９０が後進動しながら作業部５０によって畦塗り作業が可能な作業位置（左側オフセット作業位置ＰＬ）に移動する。このように、オフセット機構部２０を左側に揺動させるとともに、作業部５０を回動させることで、作業部５０を反転リバースさせて作業部の回動を規制した状態で作業部を左側オフセット作業位置ＰＬに移動させることができる。
【手続補正３０】
【補正対象書類名】明細書
【補正対象項目名】００５９
【補正方法】変更
【補正の内容】
【００５９】
一方、作業部５０が左側オフセット作業位置ＰＬに設置された状態から走行機体９０が前進動しながら作業部５０によって畦塗り作業が可能な作業位置（右側オフセット作業位置ＰＲ）に作業部５０を設置するには、９（ｂ）（平面図）に示すように、オフセット機構部２０を右側に揺動させればよい。つまり、作業部５０はオフセット機構部２０の右側揺動に応じて図４（ａ）に示すロック機構７０によって回動規制が一旦解除され、そして作業部５０は回動支点Ｏを回動中心として反時計方向に回動されて反転し、そして作業部５０はオフセット機構部２０の右側揺動に応じてロック機構７０による回動規制を受けながら右側オフセット作業位置ＰＲに移動する。このように、オフセット機構部２０を右側に揺動させるとともに、作業部５０を回動させることで、作業部５０を反転リバースさせて作業部の回動を規制した状態で作業部を右側オフセット作業位置ＰＲに移動させることができる。
【手続補正３１】
【補正対象書類名】明細書
【補正対象項目名】００６０
【補正方法】変更
【補正の内容】
【００６０】
再び図４（ａ）及び図６に示すように、ロック機構７０のロックプレート７５は、オフセット機構部２０の揺動角度θが作業方向軸Ｏ２に対して左側に揺動角度θ１を有した位置からオフセット機構部２０が右側に揺動する領域において、前進側係止部材７１と係合状態となり、揺動角度θ１を有した位置と作業方向軸Ｏ２に対して左側に揺動角度θ４を有した位置の内側をオフセット機構部２０が揺動する範囲内（所定移動領域Ｗ）において、前進側係止部材７１と非係合状態となり、オフセット機構部２０の揺動角度θが作業方向軸Ｏ２に対して左側に揺動角度θ４を有した位置からオフセット機構部２０が左側に揺動する領域において、後進側係止部材７２と係合状態となる。つまり、作業部５０は、オフセット機構部２０が所定移動領域Ｗを超えて揺動すると、ロックプレート７５が前進側係止部材７１又は後進側係止部材７２と係合状態になって、ロック状態にされ、オフセット機構部２０が所定移動領域Ｗを超えた位置から所定移動領域Ｗ内に揺動すると、ロックプレート７５の前進側係止部材７１又は後進側係止部材７２との係合状態が解除されて、非ロック状態にされる。
【手続補正３２】
【補正対象書類名】明細書
【補正対象項目名】００６１
【補正方法】変更
【補正の内容】
【００６１】
つまり、オフセット機構部２０の揺動に連動してロック機構７０が作動して、作業部５０の回動が規制されたり、規制された作業部５０の回動が許容されたりする。このため、本発明に係わる畦塗り機１では、作業者によって作業部５０の回動をロック状態にしたり非ロック状態にしたりするためのロック作業が不要であり、ロック作業の煩わしさを解消することができる。またオフセット機構部２０が所定移動領域Ｗを超えて移動すると作業部５０の回動がロック状態となり、またオフセット機構部２０が所定移動領域Ｗを超えた位置から所定移動領域Ｗ内に移動すると作業部５０は非ロック状態になるので、作業部５０による畦塗り作業時には、作業部５０は必ずロック状態にされる。このため、畦塗り作業時における作業部５０を確実にロック状態にすることができ、その結果、作業部５０による畦塗り作業を安心して行なうことができる。
【手続補正３３】
【補正対象書類名】明細書
【補正対象項目名】００６５
【補正方法】変更
【補正の内容】
【００６５】
【図１】本発明の第１の実施の形態に係わる畦塗り機の斜視図を示す。
【図２】この畦塗り機の平面図を示す。
【図３】図２中のＩＩ矢視に相当するロック機構の側面図を示す。
【図４】このロック機構の動作を説明するための平面図を示す。
【図５】ロック機構の動作を説明するための平面図を示す。
【図６】ロック機構の動作を説明するための平面図を示す。
【図７】ロック機構のロックプレートを示し、同図（ａ）はロックプレートの側面図であり、同図（ｂ）はロックプレートの平面図である。
【図８】ロック機構とオフセット機構部の動作を説明するための畦塗り機の平面図を示す。
【図９】ロック機構とオフセット機構部の動作を説明するための畦塗り機の平面図を示す。
【図１０】本発明の第２の実施の形態に係わる溝掘り機の平面図を示す。
【手続補正３４】
【補正対象書類名】明細書
【補正対象項目名】００６６
【補正方法】変更
【補正の内容】
【００６６】
１  畦塗り機（オフセット作業機）
１０  装着部
２０  オフセット機構部
２１  オフセットフレーム
２３ａ  連結アーム部材
２５  リンク部材
４０  連結機構
４１  伸縮シリンダ（回動アクチュエータ）
５０、１０１  作業部
５５  天場処理部（前処理部）
５９  前処理部
６３  整畦部
７０  ロック機構
７１  前進側係止部材（係止部材）
７２  後進側係止部材（係止部材）
７３  カム部
７３ａ  第１案内面（案内面）
７３ｂ  第２案内面（案内面）
７３ｃ  第３案内面（案内面）
７３ｄ  第４案内面（案内面）
７５  ロックプレート
７６  前進側係合凹部（係合凹部）
７７  後進側係合凹部（係合凹部）
８２  回転ローラ
９０  走行機体
１００  溝掘り機（オフセット作業機）
１０３  溝掘り体（溝掘り部）
Ｏ  回動支点
Ｗ  所定移動領域